(57)【要約】【課題】良好な操作感を実現し、使い勝手を向上させる。【解決手段】キャップ本体１０と、ヒンジ３１、３１を介してキャップ本体１０の上面を開閉する蓋体２０とを一体成形し、キャップ本体１０の操作片１７上の係止フック１８の頂面に内側の斜面１８ａ、外側の斜面１８ｂを形成する。【選択図】図１
2007008553.tif 000002
【特許請求の範囲】
【請求項１】
キャップ本体と、ヒンジを介して前記キャップ本体の上面を開閉する蓋体とを一体成形してなり、前記キャップ本体の外周には、押し操作により上部を内側に弾性変形させる上向きの操作片を前記ヒンジと対向する位置に形成し、前記操作片の上端には、前記蓋体を閉鎖位置にロックする外向きの係止フックを設け、該係止フックの頂面には、前記操作片を押し操作することにより閉鎖位置の前記蓋体を押し上げる内側の斜面と、前記蓋体を閉鎖位置に押し下げることにより前記操作片の上部を内側に弾性変形させる外側の斜面とを形成することを特徴とする容器のキャップ。
【請求項２】
前記蓋体には、前記操作片の上方にオーバハングする押上片を設けることを特徴とする請求項１記載の容器のキャップ
【請求項３】
前記蓋体には、前記キャップ本体との相対位置を規制する位置決めリブを設けることを特徴とする請求項１または請求項２記載の容器のキャップ。
【発明の詳細な説明】
【技術分野】
【０００１】
この発明は、薬液や、糊、マヨネーズ、油などの各種の液体や粘稠液を収納する容器のキャップであって、片手で便利に開放操作可能な容器のキャップに関する。
【背景技術】
【０００２】
ヒンジを介して開閉する蓋体付きの容器のキャップが知られている（特許文献１）。
【０００３】
このものは、ねじ付きのキャップ本体に対し、ヒンジを介して開閉する蓋体を一体成形して構成されている。キャップ本体の外周には、ヒンジと相対向する位置に上向きの操作片が形成されており、操作片を押し操作して上部を内側に弾性変形させると、操作片の上端が閉鎖位置の蓋体の下に入り込み、蓋体を上方に開放させるための指掛けが形成されるから、この指掛けを押し上げるようにして蓋体を上方に開放させることができる。なお、蓋体は、閉鎖位置において、キャップ本体の上端の嵌合リブに外側から嵌合し、嵌合リブの外周に断続的に形成する係合突条を蓋体の内周の係合凹溝に係合させることにより、閉鎖位置にロックされる。
【特許文献１】特開平１０−３３８２６０号公報
【発明の開示】
【発明が解決しようとする課題】
【０００４】
かかる従来技術によるときは、閉鎖位置の蓋体は、キャップ本体側の嵌合リブの外周の係合突条が蓋体の内周の係合凹溝に係合してロックされているから、上方に開放させるとき、複数の係合突条が順に係合凹溝から外れることになり、一挙に開放することができず、良好な操作感が得られないという問題があった。また、操作片は、単に蓋体を開放させるための指掛けを形成するだけであり、複雑な金型を使用するにしては、付加価値が高くないという問題もあった。
【０００５】
そこで、この発明の目的は、蓋体のロック機能の他、蓋体の閉鎖時、開放時における補助機能を操作片に集中して搭載することによって、操作片の付加価値を高くするとともに、良好な操作感を実現し、使い勝手を向上させることができる容器のキャップを提供することにある。
【課題を解決するための手段】
【０００６】
かかる目的を達成するためのこの発明の構成は、キャップ本体と、ヒンジを介してキャップ本体の上面を開閉する蓋体とを一体成形してなり、キャップ本体の外周には、押し操作により上部を内側に弾性変形させる上向きの操作片をヒンジと対向する位置に形成し、操作片の上端には、蓋体を閉鎖位置にロックする外向きの係止フックを設け、係止フックの頂面には、操作片を押し操作することにより閉鎖位置の蓋体を押し上げる内側の斜面と、蓋体を閉鎖位置に押し下げることにより操作片の上部を内側に弾性変形させる外側の斜面とを形成することをその要旨とする。
【０００７】
なお、蓋体には、操作片の上方にオーバハングする押上片を設けることができ、キャップ本体との相対位置を規制する位置決めリブを設けることができる。
【０００８】
ただし、この発明において、内側、外側は、それぞれキャップ本体の径方向であって、キャップ本体の軸心に近い側、遠い側をいう。また、内向き、外向きも、それに準ずる。
【発明の効果】
【０００９】
かかる発明の構成によるときは、操作片の上端の外向きの係止フックは、蓋体を閉鎖位置にロックするが、操作片を押し操作して上部を内側に弾性変形させることにより、操作片とともに内側に移動して蓋体のロックを解放することができる。そこで、蓋体は、操作片を押し操作した指、たとえば親指をそのまま上方に移動させることにより、一挙に上方に開放することができ、片手操作により軽快な操作感を実現することができる。
【００１０】
なお、蓋体を開放させるとき、操作片を押し操作して弾性変形させると、係止フックによる蓋体のロックが解放されると同時に、係止フックの頂面の内側の斜面を介して蓋体が上方に押し上げられるから、蓋体のロックが不用意に復活してしまうおそれがない。一方、係止フックの頂面の外側の斜面は、蓋体を閉鎖位置に押し下げて閉じる際に、操作片の上部を内側に弾性変形させ、係止フックによる蓋体のロックを一時的に無効にする。そこで、蓋体の開閉操作を繰り返しても、係止フックが摩耗したり変形したりするおそれがなく、係止フックによるロック機能を正常に維持することができる。すなわち、係止フックの頂面の斜面は、蓋体の開放操作時、閉鎖操作時において、それぞれ蓋体を押し上げ、係止フックによるロックを一時的に無効にするという開閉操作時の補助機能を分担している。
【００１１】
蓋体に設ける押上片は、蓋体を開閉するヒンジと対向する位置において、キャップ本体の操作片の上方にオーバハングする。そこで、操作片を押し操作した指を上方に移動させると、そのまま指が押上片に掛かり、蓋体を一層軽快に開放させることができる。また、蓋体に設ける位置決めリブは、蓋体を閉鎖位置に閉じるとき、蓋体とキャップ本体との相対位置関係を正しく規制し、たとえば、蓋体に形成する栓体によりキャップ本体側の注出ノズルが正しく閉塞されるように蓋体を誘導し、ヒンジの強度を実質的に補強することができる。
【発明を実施するための最良の形態】
【００１２】
以下、図面を以って発明の実施の形態を説明する。
【００１３】
容器のキャップは、キャップ本体１０と、蓋体２０とを一体成形してなる（図１、図２）。ただし、蓋体２０は、左右の薄肉のヒンジ３１、３１を介してキャップ本体１０に連結され、キャップ本体１０の上面を開閉することができる。
【００１４】
キャップ本体１０は、天板１４を介して同心円状に配列する下向きの外筒１１、中間筒１２、内筒１３を備えている。外筒１１より短い中間筒１２の内面には、容器Ｙの口部Ｙ1 の雄ねじＹ2 に適合する雌ねじ１２ａが形成されており、中間筒１２より短い内筒１３は、容器Ｙの口部Ｙ1 に嵌入可能である。そこで、キャップ本体１０は、雌ねじ１２ａ、雄ねじＹ2 を介して容器Ｙの口部Ｙ1 に装着し、内筒１３を介して口部Ｙ1 を水密に密栓することができる。なお、雄ねじＹ2 の下側には、キャップ本体１０の戻り止め用のラチェットＹ3 が形成されている。
【００１５】
天板１４は、ヒンジ３１、３１と反対側の外筒１１と中間筒１２との間が上下に連通する略円弧状の開口部１５として切り欠かれており（図２、図３）、開口部１５を除く外筒１１、中間筒１２の間は、放射状に配列する複数の補強板１２ｂ、１２ｂ…を介して連結されている。また、中間筒１２の下端外周には、容器Ｙ側のラチェットＹ3 に係合するキャップ本体１０の戻り止め用の爪１２ｃ、１２ｃが垂設されている。中間筒１２の天面には、容器Ｙの口部Ｙ1 の上端面に当接するリング状のシール１２ｄが形成されている。
【００１６】
天板１４の周囲には、上向きのリブ１４ａが形成されている（図１、図２）。また、天板１４上には、注出ノズル１６が開口部１５寄りの偏心位置に立設されており、注出ノズル１６のノズル孔１６ａは、小径に絞って内筒１３の天面に開孔している。リブ１４ａの外側には、外筒１１の上端面１１ａがリング状に形成されており、外筒１１の上半部は、下向きの段１１ｂを介して内側に肉厚になっている。
【００１７】
外筒１１のヒンジ３１、３１と対向する位置には、ヒンジ３１、３１に向けて互いに平行に外筒１１を切断する上向きのスリット１７ａ、１７ａを介し、上向きの操作片１７が形成されている。操作片１７の上端部には、外側に滑らかに膨出する膨出部１７ｂが形成され、操作片１７の上端には、外向きの係止フック１８が形成されている。なお、係止フック１８は、開口部１５側に部分的に突出するようにして形成されており、係止フック１８の頂面には、内側の斜面１８ａ、外側の斜面１８ｂが形成されている。係止フック１８は、外筒１１の外周と同心円状に湾曲して形成されている。
【００１８】
蓋体２０は、上方に膨出する低いドーム状に形成されている。蓋体２０は、全体的に、キャップ本体１０の外筒１１の外径と同径に形成されている。
【００１９】
蓋体２０の天面には、キャップ本体１０の注出ノズル１６に嵌合してノズル孔１６ａを閉じる栓２１ａ付きの栓体２１が垂設されている。また、蓋体２０には、キャップ本体１０の係止フック１８に対応する係止孔２２がヒンジ３１、３１と対向する位置に水平に径方向に開口され、係止孔２２の下側には、外向きの押上片２３が形成されている。押上片２３の先端部下面には、円弧状のリブ２３ａが形成されており、押上片２３の内側端面には、キャップ本体１０の係止フック１８上の斜面１８ｂに対応する斜面２３ｂが形成されている。また、係止孔２２の直近内側には、キャップ本体１０の係止フック１８に対応するようにして、一対の三角板状の係止片２４、２４が天面から垂設されている。さらに、係止片２４、２４の両側には、ヒンジ３１、３１に向けて互いに平行な位置決めリブ２５、２５が垂設して形成されている。蓋体２０の下面外周部は、外筒１１の上端面１１ａに対応するリング状の着地面２６となっている。
【００２０】
ヒンジ３１、３１は、それぞれキャップ本体１０側、蓋体２０側のベース３１ａ、３１ａの間に形成されている。ヒンジ３１、３１の間には、帯板３２が配設されている。帯板３２の両端は、薄肉の補助ヒンジ３２ａ、３２ａを介してキャップ本体１０、蓋体２０に連結されている。ただし、蓋体２０には、帯板３２を収納するために、切欠部３２ｂが形成されている。そこで、蓋体２０は、ヒンジ３１、３１を介してキャップ本体１０の上面を開閉することができ（図２の実線、二点鎖線）、帯板３２の弾性により、蓋体２０を最大開き角度θ1 ＝１３０〜１４０°程度の一定角度に静止させることができ、開き角度θ＜θ2 の蓋体２０を閉じ方向に付勢し、開き角度θ＞θ2 の蓋体２０を開き方向に付勢することができる。ただし、θ2 は、死点角度であり、４０°≦θ2 ≦６０°程度に設定することが好ましい。
【００２１】
蓋体２０は、開き角度θ＝０°の閉鎖位置において（図２の二点鎖線）、着地面２６が外筒１１の上端面１１ａに着地し、位置決めリブ２５、２５のヒンジ３１、３１側の先端面がリブ１４ａの外面に係合することにより、キャップ本体１０との相対位置を正しく規制することができる。また、閉鎖位置の蓋体２０は、栓２１ａ付きの栓体２１を介して注出ノズル１６のノズル孔１６ａを閉塞するとともに、係止フック１８が係止孔２２に内側から弾発的に係合することにより、開放不能にロックされる。また、押上片２３は、操作片１７の上方にオーバハングする。
【００２２】
蓋体２０を閉鎖するとき、蓋体２０の斜面２３ｂは、閉鎖位置の直前において、キャップ本体１０側の係止フック１８上の外側の斜面１８ｂに上方から係合する（図４）。そこで、蓋体２０を閉鎖位置にまで押し下げると（同図のＫ1 方向）、斜面２３ｂ、１８ｂを介して操作片１７の上部が内側に弾性変形し（同図のＫ2 方向）、係止フック１８も同方向に移動するから、蓋体２０は、円滑に閉鎖位置に閉じることができる。なお、蓋体２０が閉鎖位置に到達すると、斜面２３ｂは、斜面１８ｂの下側に外れ、操作片１７の上部が元の位置に弾性復帰し、係止フック１８が係止孔２２に係合して蓋体２０をロックする。すなわち、斜面１８ｂは、斜面２３ｂとともに、係止フック１８による蓋体２０のロックを一時的に無効にすることができる。なお、蓋体２０は、開き角度θ＜θ2 に閉じると、帯板３２を介して閉じ方向に付勢されるから、斜面２３ｂが斜面１８ｂに係合しても必ずしも停止することなく、一挙に閉鎖位置にまで閉じることも可能である。
【００２３】
閉鎖位置にある蓋体２０を開放操作するときは、容器Ｙを片手で把持し（図５）、親指で操作片１７を押し操作することにより操作片１７の上部を内側に弾性変形させる（図６の矢印Ｋ3 方向）。操作片１７が内側に弾性変形すると、係止フック１８が係止孔２２から内側に外れ、同時に、係止フック１８上の内側の斜面１８ａが蓋体２０側の係止片２４、２４に係合して蓋体２０を上方に押し上げる（同図の矢印Ｋ4 方向）。なお、操作片１７は、押し操作されると、係止フック１８の背面がリブ１４ａの外面に当接することにより弾性変形の最大量が規定され、それ以上に変形することがない。また、操作片１７に対する押圧力を除去して操作片１７を元の形に弾性復帰させても、係止孔２２から外れた係止フック１８は、相対的に係止孔２２の下に位置して係止孔２２に再係合することがない。そこで、蓋体２０は、帯板３２の弾性により、係止フック１８のロックが解放された状態のまま、斜面２３ｂが斜面１８ｂに部分的に係合してキャップ本体１０上に待機する。
【００２４】
そこで、そのまま親指を上方に移動させて蓋体２０の押上片２３を押し上げ（図５の矢印Ｋ5 方向）、開き角度θ＞θ2 まで蓋体２０を開くと、蓋体２０は、帯板３２の弾性により開き角度θ＝θ1 にまで一挙に自動的に開き、同時に注出ノズル１６のノズル孔１６ａを開放する。そこで、たとえば容器Ｙを押し潰すようにして変形させ、ノズル孔１６ａを介して内容物を注出させて使用すればよい。なお、このようにして押上片２３を押し上げるとき、操作片１７の上端部の膨出部１７ｂは、操作片１７の上端を親指の腹に知覚させ、押上片２３の下面のリブ２３ａは、親指の指先に対する掛りを生じさせるから、帯板３２による死点角度θ2 以降の自動開放動作と相俟って、極めて良好な操作感を得ることができる。
【００２５】
また、開放状態の蓋体２０を閉じるときは、蓋体２０を閉じ方向に押し（図２の矢印Ｋ6 方向）、開き角度θ＜θ2 まで駆動すればよい。以後、蓋体２０は、帯板３２の弾性により、閉鎖位置にまで一挙に自動的に閉じ、栓２１ａ、栓体２１を介して注出ノズル１６のノズル孔１６ａを再閉塞するとともに、係止フック１８を介して閉鎖位置にロックされる。
【００２６】
以上の説明において、蓋体２０の係止片２４は、一対を設けるに代えて、１枚のみとしてもよい（図７）。また、キャップ本体１０は、雌ねじ１２ａ、雄ねじＹ2 を介して容器Ｙの口部Ｙ1 に装着するに代えて、他の任意のねじなしの装着方法によってもよい。なお、キャップ本体１０、蓋体２０、帯板３２は、たとえばポリプロピレン、高密度ポリエチレンのような適度の弾性を有する耐薬品性のプラスチック材料により一体成形するものとする。
【図面の簡単な説明】
【００２７】
【図１】全体構成斜視説明図
【図２】全体構成縦断面説明図
【図３】蓋体を閉じた底面図
【図４】要部拡大動作図（１）
【図５】使用状態説明図
【図６】要部拡大動作図（２）
【図７】他の実施の形態を示す要部斜視図
【符号の説明】
【００２８】
１０…キャップ本体
１７…操作片
１８…係止フック
１８ａ、１８ｂ…斜面
２０…蓋体
２３…押上片
２５…位置決めリブ
３１…ヒンジ
特許出願人          大正薬品工業株式会社
伸晃化学株式会社
代理人  弁理士            松  田  忠  秋
【図１】
2007008553.tif 000003
【図２】
2007008553.tif 000004
【図３】
2007008553.tif 000005
【図４】
2007008553.tif 000006
【図５】
2007008553.tif 000007
【図６】
2007008553.tif 000008
【図７】
2007008553.tif 000009